(57)【要約】【課題】プリント板の周囲の空気温度を安価、正確に測定するとともに、実装方向が多方向の電子機器ユニットの温度監視、制御を行う。【解決手段】電子機器ユニットのプリント板４にデバイス型温度センサ５を実装するとともに、プリント板４の温度センサ５を実装した部分の周囲に、温度センサ５とプリント板４に形成された回路とを接続する配線パターンが通過するエリア４ｂを残して切り欠き溝４ｃを設ける。【選択図】図１
2007263636.tif 000002
【特許請求の範囲】
【請求項１】
電子機器ユニットのプリント板にデバイス型温度センサを実装するとともに、プリント板の温度センサを実装した部分の周囲に、温度センサとプリント板に形成された回路とを接続する配線パターンが通過するエリアを残して切り欠き溝を設けたことを特徴とする電子機器ユニットの温度測定装置。
【請求項２】
電子機器ユニットのプリント板の吸気側または排気側にプリント板の拡張部分を設け、該拡張部分にデバイス型温度センサを実装するとともに、プリント板とその拡張部分との接続部分は温度センサとプリント板に形成された回路とを接続する配線パターンが通過するのみのエリアとしたことを特徴とする電子機器ユニットの温度測定装置。
【請求項３】
電子機器ユニットのメインプリント板と共取りにより製作した小プリント板にデバイス型温度センサを実装し、小プリント板をリードを介してメインプリント板に実装したことを特徴とする電子機器ユニットの温度測定装置。
【請求項４】
電子機器ユニット内に実装されたプリント板の一方の側及び他方の側にそれぞれ温度センサを設け、一方の側と他方の側との温度差が正、負、ほぼ零により、一方の側が上側の排気側の縦実装か他方の側が上側の排気側の縦実装か水平実装かを判定するとともに、各実装方向の場合の排気側温度が各実装方向別に設定された最大許容排気温度より低く、かつ縦実装の場合に上記温度差の絶対値が最大許容温度上昇値より小さいことにより、電子機器ユニット内が温度上許容範囲内であると判定することを特徴とする電子機器ユニットの温度監視方法。
【発明の詳細な説明】
【技術分野】
【０００１】
この発明は、電子機器ユニットの温度測定装置及び温度監視方法に関するものである。
【背景技術】
【０００２】
電子機器ユニットにおいては、その温度監視、温度制御のために、その内部に実装されたプリント板に温度センサを実装することがある。図７は従来の電子機器ユニットの温度測定装置の一例を示し、１はユニット内部に固定された温度センサであり、温度センサ１には配線２を介してコネクタ３が接続され、コネクタ３はプリント板４に設けられた接続端子４ａに接続される。この例では、温度センサ１は配線２を介してプリント板４と接続されているので、温度センサ１にプリント板４の熱が熱伝導により伝わることはなく、温度センサ１は周囲の空気温度を正確に測定することができる。図８（ａ），（ｂ）はデバイス型温度センサ５の平面図及びこの温度センサ５をプリント板４に実装する状態を示し、デバイス型の温度センサにはＤＩＰ形状にものの他に表面実装タイプがあるが、いずれの場合もプリント板４に直接実装される。温度センサ５はプリント板４に直接実装されるため、プリント板４の温度が熱伝導により温度センサ５に伝わり、温度センサ５の測定温度はプリント板４の温度とその周囲の空気温度により決まる温度となる。特に、ＳＭＤ部品を自然空冷のユニットのプリント板４に実装した場合、ＳＭＤ部品の温度はプリント板４の温度とほぼ等しくなるため、プリント板４の温度の測定が容易となる。
【０００３】
一方、自然空冷電子機器ユニットの温度監視においては、温度センサの取付位置及び監視対象は次のように行われている。まず、局部発熱する部品やシステム上最も重要なデバイス（例えば、ＣＰＵプロセッサ）等の特定部品に温度センサを取り付けた場合、監視対象は特定部品温度となり、この場合、ユニット全体の監視はできないが、対象部品の監視は精度良く行われる。次に、温度センサをユニット吸気部に取り付けた場合、ユニット吸気（周囲）温度が監視対象となり、測定結果はユニットの温度仕様に基づいた判定値で評価される。即ち、ユニットが最大負荷となった時の各部品温度が許容内に必ず入るように判定されるために、安全な監視が可能となる。反面、負荷が少なく、内部温度が低いにもかかわらず、吸気(周囲）温度が高いだけで、許容外と判定されることがある。次に、温度センサをユニット排気部に取り付けた場合、ユニット排気（内部）温度が監視対象となり、ユニット負荷に吸気(周囲）温度をプラスした温度で判定を行うこととなり、負荷を抑えてより高い周囲温度の環境で使用することが可能となる。即ち、図９はユニット負荷とユニット許容周囲温度との関係を示し、イの部分は吸気尾温度のみで判定した場合の許容範囲であり、ロの部分はユニット負荷に対応した許容範囲であり、負荷が小さいほどユニット許容周囲温度は高くなる。ただし、ユニット排気温度を監視対象とした場合、局部発熱部品の監視はできない。
【０００４】
この出願の発明に関連する技術文献情報としては、次のものがある。
【特許文献１】特開平８−６３２３７号公報
【特許文献２】特開２０００−１２４３６７号公報
【発明の開示】
【発明が解決しようとする課題】
【０００５】
図７に示した従来の電子機器ユニットの温度測定装置においては、プリント板４に温度センサ１をコネクタ３により接続しているため、組立工数が多くなり、高価になる。また、温度センサ１の取付構造が大きくなり、狭い場所では取付ができず、取付が可能な場合でも熱の対流を阻害することとなった。又、周囲の空気温度を測定するのには適しているが、プリント板４の表面温度を測定するためには、温度センサ１の取付構造を工夫する必要があり、精度良く測定することは困難であった。一方、図８に示すように、デバイス型の温度センサ５を用いた場合には、他の部品と同様に機械実装が可能であり、部品単価が安くなるために、安価になるが、温度センサ５がプリント板４上にあるために、周囲の空気温度が測定できなかった。特に、近傍に高発熱部品が実装されている場合には、その部品からの熱伝導による熱の影響を大きく受けるため、周囲の空気温度の測定は不可能であった。
【０００６】
又、上記した従来の電子機器ユニットの温度監視方法においては、自然空冷の電子機器ユニットの実装可能方向が多方向の場合、方向により温度センサによる測定温度が変化し、特定部品の温度測定により温度監視、制御を行うことしかできず、ユニット内の部品全体の温度監視、制御を行うことは不可能であった。
【０００７】
この発明は上記のような課題を解決するために成されたものであり、周囲の空気温度を安価、正確に測定することができるとともに、実装方向が多方向である自然空冷ユニットの温度監視、制御が可能な電子機器ユニットの温度測定装置及び温度監視方法を得ることを目的とする。
【課題を解決するための手段】
【０００８】
この発明の請求項１に係る電子機器ユニットの温度測定装置は、電子機器ユニットのプリント板にデバイス型温度センサを実装するとともに、プリント板の温度センサを実装した部分の周囲に、温度センサとプリント板に形成された回路とを接続する配線パターンが通過するエリアを残して切り欠き溝を設けたものである。
【０００９】
請求項２に係る電子機器ユニットの温度測定装置は、電子機器ユニットのプリント板の吸気側または排気側にプリント板の拡張部分を設け、該拡張部分にデバイス型温度センサを実装するとともに、プリント板とその拡張部分との接続部分は温度センサとプリント板に形成された回路とを接続する配線パターンが通過するのみのエリアとしたものである。
【００１０】
請求項３に係る電子機器ユニットの温度測定装置は、電子機器ユニットのメインプリント板と共取りにより製作した小プリント板にデバイス型温度センサを実装し、小プリント板をリードを介してメインプリント板に実装したものである。
【００１１】
請求項４に係る電子機器ユニットの温度監視方法は、電子機器ユニット内に実装されたプリント板の一方の側及び他方の側にそれぞれ温度センサを設け、一方の側と他方の側との温度差が正、負、ほぼ零により、一方の側が上側の排気側の縦実装か他方の側が上側の排気側の縦実装か水平実装かを判定するとともに、各実装方向の場合の排気側温度が各実装方向別に設定された最大許容排気温度より低く、かつ縦実装の場合に上記温度差の絶対値が最大許容温度上昇値より小さいことにより、電子機器ユニット内が温度上許容範囲内であると判定するものである。
【発明の効果】
【００１２】
以上のようにこの発明の請求項１によれば、プリント板の温度センサを実装した部分の周囲に、温度センサとプリント板に形成された回路とを接続する配線パターンが通過するエリアを残して切り欠き溝を形成しており、プリント板とその温度センサを実装した部分との間の熱抵抗が大きくなり、温度センサはプリント板に実装された高発熱部品等の熱の影響を受け難くなり、周囲の空気温度を正確に測定することができる。又、温度センサとしてデバイス型のものを用いており、機械実装が可能で、安価とすることができる。
【００１３】
又、請求項２によれば、プリント板とその吸気側又は排気側に設けられた拡張部分との接続部分を温度センサとプリント板に形成された回路とを接続する配線パターンが通過するのみのエリアとしたので、プリント板とその拡張部分との間の熱抵抗が大きくなり、温度センサはプリント板に実装された部品の熱の影響を受け難くなり、周囲の空気温度を精度良く測定することができる。又、温度センサとしてデバイス型のものを用いたので、安価とすることができる。さらに、温度センサを吸気側の拡張部分に設けた場合には、温度センサを発熱部品の風上側に設けることができ、発熱部品の熱の影響を一層避けることができる。又、温度センサを排気側の拡張部分に設けた場合には、温度センサを発熱部品の風下側に設けることになるが、風の通り道に設けられるので、冷却効果が良く、やはり発熱部品の熱の影響を受けない。
【００１４】
請求項３によれば、小プリント板を細長いリード線を介してメインプリント板に実装したので、小プリント板に実装された温度センサとメインプリント板との間の熱抵抗が大きくなり、温度センサはメインプリント板に実装された部品の熱の影響を受け難くなり、周囲の空気温度を精度良く測定することができる。又、温度センサとしてデバイス型のものを用いたので、安価とすることができる。
【００１５】
請求項４によれば、電子機器ユニット内に実装されたプリント板の一方の側及び他方の側にそれぞれ温度センサを設け、各温度センサの測定温度の差が正、負、ほぼ零かによりプリント板の実装方向を判定し、各実装方向の場合の排気側温度が実装方向別に設定された最大許容排気温度より低いことにより、電子機器ユニット内の温度が許容温度内であることを判定し、さらに縦実装の場合に各温度センサの測定温度差の絶対値が最大許容温度上昇値より小さいことにより、内部実装異常や動作異常が判定される。従って、実装可能方向が多方向の場合に、実装方向を判定して、実装方向別に排気側温度が最大許容排気温度より低いこと、及び縦実装の場合に測定温度差の絶対値が最大許容温度上昇値より小さいことにより、電子機器ユニット内が温度上許容範囲内であると判定することができる。
【発明を実施するための最良の形態】
【００１６】
実施最良形態１
以下、この発明を実施するための最良の形態を図面とともに説明する。図１（ａ），（ｂ）はこの発明の実施最良形態１による電子機器ユニットの温度測定装置の平面図及びその要部拡大図を示し、プリント板４には実装部品６を実装するとともに、デバイス型温度センサ５を実装する。プリント板４には実装部品６や温度センサ５間を接続する配線パターンが形成されており、これにより回路が形成される。プリント板４の温度センサ５を実装した部分の周囲には、温度センサ５とプリント板４に形成された回路とを接続する配線パターンが通過するエリア４ｂを残して切り欠き溝４ｃを形成する。
【００１７】
実施最良形態１においては、プリント板４の温度センサ５を実装した部分の周囲に、温度センサ５とプリント板４に形成された回路とを接続する配線パターンが通過するエリア４ｂを残して切り欠き溝４ｃを形成しており、プリント板４と温度センサ５を実装した部分との間の熱抵抗が非常に大きくなり、近傍に高発熱部品が実装されていても、その部品からの熱伝導による影響をほとんど受けなくなり、温度センサ５の周囲の空気温度を精度良く測定できるようになった。しかも、デバイス型の温度センサ５は機械実装が可能であり、安価にすることができる。従って、ユニット内の空気温度を安価に正確に測定することができる。又、温度センサ５をプリント板４に実装するだけでよく、取付構造が簡単小形で安価になる。さらに、配線が不要で通風抵抗の要因となるものがなく、安定した精度が高い測定が可能になるとともに、狭い空間でも実装可能である。また、周囲に高発熱部品が実装されていても、温度センサ５を風上側に設けることにより、高発熱部品の熱の影響を避けることができる。
【００１８】
実施最良形態２
図２はこの発明の実施最良形態２による電子機器ユニットの温度測定装置の平面図であり、電子機器ユニット７内のプリント板４には実装部品６を実装するとともに、プリント板４の吸気側または排気側にプリント板４の拡張部分４ｄ，４ｅを設け、拡張部分４ｄ，４ｅにはデバイス型温度センサ５を実装する。又、プリント板４とその拡張部分４ｄ，４ｅとの接続部分４ｆ，４ｇは温度センサ５とプリント板４に形成された回路とを接続する配線パターンが通過するのみのエリアとする。
【００１９】
実施最良形態２においては、プリント板４とその吸気側又は排気側の拡張部分４ｄ，４ｅとの接続部分４ｆ，４ｇを温度センサ５とプリント板４に形成された回路とを接続する配線パターンが通過するのみのエリアとしたので、プリント板４とその拡張部分４ｄ，４ｅとの間の熱抵抗が非常に大きくなり、近傍に高発熱部品が実装されていても、その部品からの伝導による熱の影響をあまり受けなくなり、温度センサ５は周囲の空気温度を精度良く測定することができる。又、デバイス型温度センサ５は機械実装が可能で安価になり、周囲の空気温度を安価に精度よく測定することができる。また、温度センサ５を吸気側の拡張部分４ｄに設ければ、高発熱部品の風上側に設けることができ、温度センサ５は高発熱部品の熱の影響を受けず、周囲の空気温度を精度良く測定することができる。又、温度センサ５を排気側の拡張部分４ｅに設ければ、高発熱部品の風下側に設けることになるが、風の通り道に設けられるので、冷却効果が良く、やはり高発熱部品の熱の影響をほとんど受けない。その他、実施最良形態１と同様の効果を奏する。
【００２０】
実施最良形態３
図３（ａ），（ｂ）は実施最良形態３による電子機器ユニットの温度測定装置におけるプリント板の平面図及び小プリント板をメインプリント板に実装する状態を示し、図３（ａ）に示すようにメインプリント板８と小プリント板９とを共取りにより一体に製作し、メインプリント板８部分には実装部品６を実装するとともに、小プリント板９部分にはデバイス型温度センサ５を実装し、小プリント板９にはリード１０を設ける。ここで、メインプリント板８と小プリント板９を切り離し、捨て基板となる部分８ａも切り離す。次に、図３（ｂ）に示すようにリード１０をメインプリント板８に半田付けし、小プリント板９をメインプリント板８に実装する。ここで、小プリント板９のリード１０は、メインプリント板８
と温度センサ５間の熱抵抗を大きくするために長く細い形状とする。
【００２１】
実施最良形態３においては、小プリント板９を細長いリード１０を介してメインプリント板８に実装したので、小プリント板９に実装された温度センサ５とメインプリント板８との間の熱抵抗が大きくなり、温度センサ５はメインプリント板８に実装された実装部品６の熱の影響をほとんど受けなくなり、安価なデバイス型温度センサ５を用いて、周囲の空気温度を正確に測定することができる。その他、実施最良形態１と同様の効果を奏する。
【００２２】
実施最良形態４
図４〜図６は実施最良形態４による電子機器ユニットの温度監視方法を説明する説明図であり、図４は電子機器ユニット７内に実装されたプリント板４がその一方の側を電子機器ユニット７の上側の排気側にして縦実装された場合を示し、図５はプリント板がその他方の側を電子機器ユニット７の上側の排気側にして縦実装された場合を示し、図６はプリント板４が水平実装された場合を示す。又、図４の場合、縦実装されたプリント板４の一方の側（上側の排気側）に温度センサ１１ａを設けるとともに、プリント板４の他方の側（下側の吸気側）に温度センサ１１ｂを設ける。また、図５の場合には、縦実装されたプリント板４の一方の側（下側の吸気側）に温度センサ１１ａを設けるとともに、プリント板４の他方の側（上側の排気側）に温度センサ１１ｂを設ける。さらに、図６の場合には、水平実装されたプリント板４の一方の側（吸気側又は排気側）に温度センサ１１ａを設けるとともに、プリント板４の他方の側（排気側又は吸気側）に温度センサ１１ｂを設ける。
【００２３】
ここで、温度センサ１１ａ，１１ｂの測定温度をＴａ，Ｔｂとして、その温度差ΔＴをΔＴ＝Ｔａ−Ｔｂの式により演算し、このΔＴにより実装方向を判定する。即ち、ΔＴが正の場合は、図４に示すようにプリント板４の一方の側が上側の排気側の縦実装の場合と判定し、ΔＴが負の場合は、図５に示すようにプリント板４の他方の側が上側の排気側の縦実装の場合と判定し、ΔＴがほぼ零の場合は、図６に示すようにプリント板４が水平実装の場合と判定する。又、図４の場合、即ち、プリント板４の一方の側が上側の排気側の縦実装の場合には、その判定値である縦実装最大許容排気温度（内部部品仕様温度が満足する時の最大温度、以下同様）をＴｖａｍａｘとして、排気側温度Ｔａ＜Ｔｖａｍａｘか否かを判定する。また、図５の場合、即ち、プリント板４の他方の側が上側の排気側の縦実装の場合には、その判定値である縦実装最大許容排気温度をＴｖｂｍａｘとして、排気側温度Ｔｂ＜Ｔｖｂｍａｘか否かを判定する。さらに、図６の場合、即ち、プリント板４が水平実装の場合には、その判定値である縦実装最大許容排気温度をＴｈａｍａｘとして、排気側温度Ｔａ又はＴｂ＜Ｔｈａｍａｘか否かを判定する。このように、それぞれの場合に排気側温度が実装方向別の最大許容排気温度より低いことにより、電子機器ユニット７内の温度が許容温度内であると判定する。
【００２４】
さらに、図４，図５の縦実装の場合には、上記ΔＴの絶対値が判定値である最大許容温度上昇値ΔＴｍａｘより小さいことが必要であり、これにより内部実装異常や動作異常がないことが判定される。
【００２５】
実施最良形態４においては、プリント板４の一方の側と他方の側に温度センサ１１ａ，１１ｂを設け、それぞれの測定温度をＴａ，Ｔｂとして、その温度差ΔＴが正の場合には一方の側が上側の排気側の縦実装と判定することができ、負の場合には他方の側が上側の排気側の縦実装と判定することができ、ほぼ零の場合には水平実装と判定することができる。又、排気側温度が実装方向別の最大許容排気温度より低いことにより、電子機器ユニット７内の温度が許容温度内であると判定し、かつ縦実装の場合には温度差の絶対値が最大許容温度上昇値より小さいことにより、電子機器ユニット７内に内部実装異常及び動作異常がないことが判定される。そして、これらの条件をすべて満足するときに電子機器ユニット７内が温度上許容範囲内であると判定する。
【００２６】
以上のようにして、実施可能方向が多方向の自然空冷電子機器ユニット７の温度監視、制御が可能となり、また各実装方向の排気側温度を判定温度とすることにより、電子機器ユニット７内の負荷を抑えることでより高い周囲温度の環境で使用可能となり、実装方向に応じた詳細な温度制御、監視が可能となって、信頼性が向上する。又、従来の技術にはなかった実装異常や内部部品の異常による温度異常なども検出可能となる。
【図面の簡単な説明】
【００２７】
【図１】この発明の実施最良形態１による電子機器ユニットの温度測定装置の平面図及びその要部拡大図である。
【図２】この発明の実施最良形態２による電子機器ユニットの温度測定装置の平面図である。
【図３】この発明の実施最良形態３による電子機器ユニットの温度測定装置におけるプリント板の平面図及び小プリント板をメインプリント板に実装する状態を示す図である。
【図４】実施最良形態４による電子機器ユニットの温度監視方法の説明図である。
【図５】実施最良形態４による電子機器ユニットの温度監視方法の説明図である。
【図６】実施最良形態４による電子機器ユニットの温度監視方法の説明図である。
【図７】従来の電子機器ユニットの温度測定装置の正面図である。
【図８】従来のデバイス型温度センサの平面図及びこの温度センサをプリント板に実装する状態を示す図である。
【図９】ユニット負荷とユニット許容周囲温度との関係図である。
【符号の説明】
【００２８】
４…プリント板
４ｂ…配線パターン通過エリア
４ｃ…切り欠き溝
４ｄ，４ｅ…拡張部分
４ｆ，４ｇ…接続部分
５…デバイス型温度センサ
６…実装部品
７…電子機器ユニット
８…メインプリント板
９…小プリント板
１０…リード
１１ａ，１１ｂ…温度センサ
【図１】
2007263636.tif 000003
【図２】
2007263636.tif 000004
【図３】
2007263636.tif 000005
【図４】
2007263636.tif 000006
【図５】
2007263636.tif 000007
【図６】
2007263636.tif 000008
【図７】
2007263636.tif 000009
【図８】
2007263636.tif 000010
【図９】
2007263636.tif 000011